(57)【要約】【課題】着脱しやすい防護服を提供する。【解決手段】身頃と、少なくとも正面側がラグランスリーブ状に形成された左右の袖からなる防護服において、身頃正面側を左右に開閉する第１ファスナーと、左右何れかの袖の正面側を身頃と開閉可能に連結する第２ファスナーを設けた。【選択図】  図１
0003175657.tif 000002
【実用新案登録請求の範囲】
【請求項１】
身頃と、少なくとも正面側がラグランスリーブ状に形成された左右の袖と、正面側の襟ぐりから下方に延びる第１ファスナーと、正面側の襟ぐりから左右いずれかの腋窩に延びる第２ファスナーを有し、該第２ファスナーによって左右いずれかの袖の正面側と身頃が開閉可能に連結されたことを特徴とする防護服。
【請求項２】
前記防護服は、さらに正面側に開口部を備えたフードを有し、前記第１及び第２ファスナーは、前記フードの開口部から延びることを特徴とする、請求項１記載の防護服。
【請求項３】
前記左右の袖は、背面側において左右を一体に形成されていることを特徴とする、請求項１又は２に記載の防護服。
【請求項４】
前記防護服の縫合線上に目張り用のテープを貼着したことを特徴とする、請求項１〜３のいずれかに記載の防護服。
【請求項５】
前記身頃は、前記第１及び第２のファスナーを表面側から覆うファスナー覆い帯を有し、該ファスナー覆い帯は裏面に接着層を有することを特徴とする、請求項１〜４のいずれかに記載の防護服。
【考案の詳細な説明】
【技術分野】
【０００１】
本考案は、着脱容易な防護服に関する。
【背景技術】
【０００２】
化学薬品や放射性物質等の付着を防ぐ目的や、或いは感染症等を予防する目的等により使用される防護服として、例えば特許文献１の防護服が知られている。この防護服は、いわゆるツナギ型の形状をしており、着用者の前身を覆うものである。
【０００３】
一般的な防護服には正面側に上下方向のファスナーが設けられており、着用者が防護服を着脱するには当該ファスナーを開閉してこれをおこなうが、防護服は着用者の全身を覆うツナギ型の衣類であるから、着脱しづらいという問題があった。
特に、作業終了後には防護服に粉塵や菌等が付着していることが想定されるため、防護服を脱ぐ際にはこれらの粉塵や菌等の拡散汚染を防ぐことが求められており、より安全で脱ぎやすい防護服が求められていた。
【０００４】
一方で、防護服は縫合線から粉塵や菌等が人体に付着することを防止するために、防護服を構成する部材は少ない方が望ましく、着脱性を高めるために構成部材を増やす、又は縫合線を増やすことができないという問題があった。
【先行技術文献】
【特許文献】
【０００５】
【特許文献１】特開２００５−２３４６０号公報
【考案の概要】
【考案が解決しようとする課題】
【０００６】
本考案は前述の状況に着目し、着脱しやすい防護服を提供することを、その課題とするものである。
【課題を解決するための手段】
【０００７】
上記課題を解決することを目的としてなされた本考案防護服の構成は、身頃と、少なくとも正面側がラグランスリーブ状に形成された左右の袖と、正面側の襟ぐりから下方に延びる第１ファスナーと、正面側の襟ぐりから左右いずれかの腋窩に延びる第２ファスナーを有し、該第２ファスナーによって左右いずれかの袖の正面側と身頃が開閉可能に連結されたことを特徴としている。
【０００８】
本考案の防護服は、さらに正面側に開口部を備えたフードを有し、前記第１及び第２ファスナーは、前記フードの開口部から延びるようにすることが望ましい。
また、前記左右の袖は、背面側において左右を一体に形成すると好適である。
さらに、防護服の縫合線上に目張り用のテープを貼着してもよいし、前記身頃は、前記第１及び第２のファスナーを表面側から覆うファスナー覆い帯を有し、該ファスナー覆い帯は裏面に接着層を有してもよい。
【考案の効果】
【０００９】
本考案の防護服によれば、第１ファスナーに加えて、袖と身頃を第２ファスナーで連結することにより、縫合線を増やすことなく、防護服を着脱しやすいものとすることができる。
【図面の簡単な説明】
【００１０】
【図１】本考案に係る防護服の一例を示す正面図である。
【図２】図１に示す防護服の背面図である。
【図３】図１に示す防護服において、第１及び第２ファスナーを開いた状態を示す正面図である。
【考案を実施するための形態】
【００１１】
以下、本考案の実施形態の一例を、図面を参照して説明する。
本実施例に係る防護服１は、図１に示すように、身頃２と、袖３と、フード４と、第１及び第２ファスナー５、６を主な構成としている。
【００１２】
身頃２は、図１で示すように、着用者の胴体から脚部までを覆う部材であり、股下を縫合した右身頃２１及び左身頃２２を背面側中央で後述の袖３と縫合した構造である。また、当該左右の身頃２１、２２の正面側は後述の第１ファスナー５によって開閉可能に連結されている。さらに、図２で示すように、背面側には左右２５ｃｍに渡って伸縮可能なゴム部材７１が取り付けられ、脚部先端にも伸縮可能なゴム７２が取り付けられている。
【００１３】
袖３は、図１及び図２で示すように、着用者の両腕から肩部を覆う左右の腕部３１、３２と、左右の腕部３１、３２の背面側を連結し、着用者の背中を覆う背中部３３が一体形成された部材である。
左右の腕部３１、３２は袖下が縫合された筒状の部位であり、図１で示すように、正面側が腋窩から襟ぐりまでを直線的に結ぶラグランスリーブ状に形成されている。また、右腕部３１の腋窩から襟ぐりまでは右身頃２１と縫合されており、左腕部３２の腋窩から襟ぐりまでは後述の第２ファスナー６によって左身頃２２と開閉可能に連結されている。さらに、左右腕部３１、３２の袖口には、伸縮可能なゴム部材７３が取り付けられている。
図２で示すように、背中部３３は左右の腕部３１、３２を背面側でつなぐ部位であり、下端側が左右の腋窩を直線的につなぐように形成され、当該下端を身頃２の背面側上端に縫合して連結されている。
袖３は、背面側が左右の腕部３１、３２を背中部３３によって連結された一の部材からなることによって、左右の腕部３１、３２をそれぞれ独立した部材から構成した場合よりも縫合線を少なくすることができる。これにより、粉塵や菌等が着用者に付着することを防ぐことができる。
また、袖３の背面側はドルマンスリーブ状に形成されている。これにより袖３は腋窩にゆとりをもたせた形状とすることで、防護服１をより着脱容易なものとすることができる。
【００１４】
フード４は、図１及び図２で示すように、着用者の頭部を覆う部材であり、身頃２及び袖３によって構成される襟ぐりに縫合によって連結されている。
フード４は、フード左右部４１、４２、及びフード中央部４３から構成されている。フード左右部４１、４２同士は縫合によって連結されているが、フード右部４１とフード中央部４３は後述の第１ファスナー５によって開閉可能に連結され、フード中央部４３とフード左部４２は後述の第２ファスナー６によって開閉可能に連結されている。
また、フード４の正面側には開口部４４が形成されるとともに、開口部４４の上側には左右１３ｃｍに渡って伸縮可能なゴム部材７４が取り付けられている。
【００１５】
身頃２、袖３、フード４はいずれも白地の不織布を裁断して形成されており、また、上記縫合箇所における縫合線上には青地の目張りテープ８が貼着されている。
目張りテープ８を縫合線上に貼着することにより、縫合線を介して粉塵や菌等が着用者に付着することを効果的に防ぐことができ、また、当該目張りテープ８を防護服１全体とは異なる青地とすることにより、目張りテープ８が剥離等していれば容易にこれを検出することができ、作業を安全に行うことができる。
【００１６】
防護服１の正面側には、図１及び図３で示すように、上下に延びる第１ファスナー５と、左腕側に斜めに伸びる第２ファスナー６が設けられている。
第１ファスナー５は、フード４の開口部４４下端から左右の身頃２１、２２の対向縁に沿って設けられており、フード４のフード右部４１とフード中央部４３、及び左右の身頃２１、２２を開閉可能に連結している。
第２ファスナー６は、フード４の開口部４４の下端左側から、左身頃２２と袖３の左腕部３２の対向縁にそって設けられ、フード中央部４３とフード左部４２、及び左身頃２２と袖３の左腕部３２を開閉可能に連結している。
また、第１及び第２ファスナー５、６に沿ってファスナー覆い帯９が設けられており、また、当該ファスナー覆い帯９の裏面には両面テープ９ａが貼着されている。
本実施例に係る防護服１は、ラグランスリーブ状の袖３の左腕部３２と身頃２を縫合の代わりに第２ファスナーによって開閉可能に連結する構成となっている。これにより、防護服１は縫合線を増やすことなく左肩付近を大きく開くことができ、防護服１を容易に着脱することができる。作業終了後に粉塵や菌等の拡散汚染を防ぐことが求められる環境下において、特に有用である。
また、第１及び第２ファスナー５、６に沿って、裏面に両面テープ９ａが貼着されたファスナー覆い帯９が設けられているので、着用時にはこのファスナー覆い帯９を第１及び第２ファスナー上に貼着させることができる。これにより、第１及び第２ファスナーを介して粉塵や菌等が着用者に付着することを防ぎ、安全な作業を行うことができる。
【００１７】
本実施例の構成は前述のとおりであるが、本考案の形態はこれに限られない。例えば、本実施例の目張りテープ８は青地の部材としたが、目張りテープ８自体を他の部材と容易に識別できれば、彩色はこれに限られない。
また、第２ファスナーは左腕側に設けられているが、右腕側にこれを設けても良い。
その他の具体的構成についても、本実施例の形態に限られるものではなく、本考案の趣旨を逸脱しない範囲でさまざまな変更が可能である。
【符号の説明】
【００１８】
１    防護服
２    身頃
３    袖
４    フード
５    第１ファスナー
６    第２ファスナー
８    目張りテープ
９    ファスナー覆い帯
【図１】
0003175657.tif 000003
【図２】
0003175657.tif 000004
【図３】
0003175657.tif 000005